(57)【要約】【課題】電子辞書における辞書検索の履歴情報を取得・集計するための辞書情報集計装置であり、編集部や編集者自らが必要辞書内容の調査を行う必要なく、辞書の編集・作成に掛かる労力を大幅に削減すること。【解決手段】辞書情報集計サーバ１０において、通信ネットワークＮを介して収集されたＰＣリンク電子辞書２０や無線電子辞書３０などの多数のユーザ辞書端末における日付つきの検索履歴情報とその個人情報を、ユーザ層を指定した検索単語人数集計一覧や未収録語年度別人数集計一覧などの任意の形態で集計して表示させることで、例えばこの集計表示データを参考に辞書内容の市場ニーズを分析することができ、辞書の出版社や編集者において、改訂版の編集発行などにあたり如何なる新語を収録すべきかの非常に有用な判断材料として利用することができる。【選択図】　　図１
2004062228.tif 000002
【特許請求の範囲】
【請求項１】
辞書を内蔵した端末における辞書検索情報を集計する辞書情報集計装置であって、
前記端末から辞書の未収録語に対する検索情報とその検索日付情報とを対応付けて取得する検索情報取得手段と、
この検索情報取得手段により取得された未収録語の検索情報をその検索日付情報と共に記憶する検索情報記憶手段と、
この検索情報記憶手段により記憶された未収録語の検索情報をその検索日付情報に対応付けて期間毎に集計して表示する期間別検索情報表示手段と、
を備えたことを特徴とする辞書情報集計装置。
【請求項２】
前記検索情報取得手段は、前記端末から当該端末の個人情報に対応付けて辞書の未収録語に対する検索情報をその検索日付と共に取得し、
前記検索情報記憶手段は、前記検索情報取得手段により取得された未収録語の検索情報をその検索日付情報及び端末個人情報と共に記憶し、
この検索情報記憶手段により記憶された未収録語の検索情報をその個人情報別に検索日付情報に対応付けて集計して表示する個人情報別検索情報表示手段をさらに備えたことを特徴とする請求項１に記載の辞書情報集計装置。
【請求項３】
前記期間別検索情報表示手段および個人情報別検索情報表示手段は、集計数が所定数以上となる未収録語について集計して表示することを特徴とする請求項２に記載の辞書情報集計装置。
【請求項４】
さらに、
前記端末から辞書の収録語に対する検索情報をその検索日付情報を対応付けて取得する収録語検索情報取得手段と、
この収録語検索情報取得手段により取得された収録語の検索情報をその検索日付情報と共に記憶する収録語検索情報記憶手段と、
この収録語検索情報記憶手段により記憶された収録語の検索情報をその検索日付情報に対応付けて期間毎に集計して表示する期間別収録語検索情報表示手段と、
を備えたことを特徴とする請求項１乃至請求項３の何れか１項に記載の辞書情報集計装置。
【請求項５】
辞書情報集計装置のコンピュータを制御して辞書を内蔵した端末における辞書検索情報を集計するための辞書情報集計処理プログラムであって、
前記コンピュータを、
前記端末から辞書の未収録語に対する検索情報をその検索日付情報を対応付けて取得する検索情報取得手段、
この検索情報取得手段により取得された未収録語の検索情報をその検索日付情報と共に記憶する検索情報記憶手段、
この検索情報記憶手段により記憶された未収録語の検索情報をその検索日付情報に対応付けて期間毎に集計して表示する期間別検索情報表示手段、
として機能させるようにしたコンピュータ読み込み可能な辞書情報集計処理プログラム。
【発明の詳細な説明】
【０００１】
【発明の属する技術分野】
本発明は、電子辞書における辞書検索の履歴情報を取得・集計するための辞書情報集計装置および辞書情報集計処理プログラムに関する。
【０００２】
【従来の技術】
従来から英和辞典，和英辞典，国語辞典などの各種の辞書としては、書籍の辞書が一般に利用されてきたが、近年、携帯性や辞書引き作業の容易さから電子辞書が広く利用されるようになっている。
【０００３】
電子辞書には様々な種類のものがあり、その殆どは内蔵された辞書の内容や数量、そして装置本体の大きさや表示画面の大きさなどにより仕様が異なり、それぞれ別モデルとして販売されている。
【０００４】
そして、このような書籍の辞書や電子辞書における辞書内容の編集は、出版社編集部あるいは編集者の方針，主観に委ねられる。この際に客観要素を含める場合には、編集者自身により新聞などのデータベースを元にして新語や頻出語を抽出し、辞書の編集に用いている。
【０００５】
【発明が解決しようとする課題】
したがって、従来の辞書の編集作業では、当該辞書の編集部や編集者は常にあるいはその都度、世間の動向や各ユーザ層に応じて必要とされている辞書内容を自ら調査する必要があり、大変な労力を要する問題がある。
【０００６】
本発明は、前記のような問題に鑑みてなされたもので、編集部や編集者自らが必要辞書内容の調査を行う必要なく、辞書の編集・作成に掛かる労力を大幅に削減することが可能になる辞書情報集計装置および辞書情報集計処理プログラムを提供することを目的とする。
【０００７】
【課題を解決するための手段】
すなわち、本発明の請求項１に係る辞書情報集計装置は、辞書を内蔵した端末における辞書検索情報を集計する辞書情報集計装置であって、
前記端末から辞書の未収録語に対する検索情報とその検索日付情報とを対応付けて取得する検索情報取得手段と、この検索情報取得手段により取得された未収録語の検索情報をその検索日付情報と共に記憶する検索情報記憶手段と、この検索情報記憶手段により記憶された未収録語の検索情報をその検索日付情報に対応付けて期間毎に集計して表示する期間別検索情報表示手段と、を備えたことを特徴とする。
【０００８】
このような、本発明の請求項１に係る辞書情報集計装置では、端末から辞書の未収録語に対する検索情報とその検索日付情報とが対応付けられて検索情報取得手段により取得され、これにより取得された未収録語の検索情報がその検索日付情報と共に検索情報記憶手段により記憶される。そして、この検索情報記憶手段により記憶された未収録語の検索情報は期間別検索情報表示手段によりその検索日付情報に対応付けられて期間毎に集計されて表示される。
【０００９】
これにより、各辞書端末における未収録語の検索数（人数）などを、例えばこれまでの月別や年度別などの期間毎に集計し表示させて容易に未収録語の検索ニーズなどを知ることができる。
【００１０】
また、本発明の請求項２に係る辞書情報集計装置は、前記請求項１に係る辞書情報集計装置にあって、前記検索情報取得手段は、前記端末から当該端末の個人情報に対応付けて辞書の未収録語に対する検索情報をその検索日付と共に取得し、前記検索情報記憶手段は、前記検索情報取得手段により取得された未収録語の検索情報をその検索日付情報及び端末個人情報と共に記憶し、この検索情報記憶手段により記憶された未収録語の検索情報をその個人情報別に検索日付情報に対応付けて集計して表示する個人情報別検索情報表示手段をさらに備えたことを特徴とする。
【００１１】
このような、本発明の請求項２に係る辞書情報集計装置では、検索情報取得手段により、端末から当該端末の個人情報に対応付けて辞書の未収録語に対する検索情報がその検索日付と共に取得され、この取得された未収録語の検索情報がその検索日付情報及び端末個人情報と共に検索情報記憶手段により記憶される。そして、この記憶された未収録語の検索情報が、個人情報別検索情報表示手段によりその個人情報別に検索日付情報に対応付けられて集計され表示される。
【００１２】
これにより、各辞書端末における未収録語の検索数（人数）などを、個人情報別に集計し表示させて容易に未収録語の個人検索ニーズなどを知ることができる。
【００１３】
また、本発明の請求項３に係る辞書情報集計装置は、前記請求項２に係る辞書情報集計装置にあって、前記期間別検索情報表示手段および個人情報別検索情報表示手段は、集計数が所定数以上となる未収録語について集計して表示することを特徴とする。
【００１４】
このような、本発明の請求項３に係る辞書情報集計装置では、期間別検索情報表示手段および個人情報別検索情報表示手段による検索情報の集計表示が、その集計数が所定数以上となる未収録語について行われる。
【００１５】
これにより、ある一定数以上の有効な未収録語の検索情報がある場合のみ当該検索情報を集計表示できる。
【００１６】
また、本発明の請求項４に係る辞書情報集計装置は、前記請求項１乃至請求項３の何れか１項に係る辞書情報集計装置にあって、さらに、前記端末から辞書の収録語に対する検索情報をその検索日付情報を対応付けて取得する収録語検索情報取得手段と、この収録語検索情報取得手段により取得された収録語の検索情報をその検索日付情報と共に記憶する収録語検索情報記憶手段と、この収録語検索情報記憶手段により記憶された収録語の検索情報をその検索日付情報に対応付けて期間毎に集計して表示する期間別収録語検索情報表示手段と、を備えたことを特徴とする。
【００１７】
このような、本発明の請求項４に係る辞書情報集計装置では、端末から辞書の収録語に対する検索情報がその検索日付情報と対応付けられて収録語検索情報取得手段により取得され、これにより取得された収録語の検索情報がその検索日付情報と共に収録語検索情報記憶手段により記憶される。そして、この収録語検索情報記憶手段により記憶された収録語の検索情報は期間別収録語検索情報表示手段によりその検索日付情報に対応付けられて期間毎に集計されて表示される。
【００１８】
これにより、各辞書端末における収録語の検索数（人数）などを、例えばこれまでの月別や年度別などの期間毎に集計し表示させて容易に収録語の検索頻度などを知ることができる。
【００１９】
また、本発明の請求項５に係る辞書情報集計処理プログラムは、辞書情報集計装置のコンピュータを制御して辞書を内蔵した端末における辞書検索情報を集計するための辞書情報集計処理プログラムであって、
前記コンピュータを、前記端末から辞書の未収録語に対する検索情報をその検索日付情報を対応付けて取得する検索情報取得手段、この検索情報取得手段により取得された未収録語の検索情報をその検索日付情報と共に記憶する検索情報記憶手段、この検索情報記憶手段により記憶された未収録語の検索情報をその検索日付情報に対応付けて期間毎に集計して表示する期間別検索情報表示手段、として機能させるようにしたコンピュータ読み込み可能な辞書情報集計処理プログラム。
【００２０】
このような、本発明の請求項５に係る辞書情報集計処理プログラムを辞書情報集計装置のコンピュータにインストールすることで、端末から辞書の未収録語に対する検索情報とその検索日付情報とが対応付けられて検索情報取得手段により取得され、これにより取得された未収録語の検索情報がその検索日付情報と共に検索情報記憶手段により記憶される。そして、この検索情報記憶手段により記憶された未収録語の検索情報は期間別検索情報表示手段によりその検索日付情報に対応付けられて期間毎に集計されて表示される。
【００２１】
これにより、各辞書端末における未収録語の検索数（人数）などを、例えばこれまでの月別や年度別などの期間毎に集計し表示させて容易に未収録語の検索ニーズなどを知ることができる。
【００２２】
【発明の実施の形態】
以下、図面を参照して本発明の実施の形態について説明する。
【００２３】
図１は本発明の実施形態に係る辞書情報集計システムの全体構成およびその辞書情報集計サーバ１０の電子回路の構成を示すブロック図である。
【００２４】
この辞書情報集計システムは、インターネットなどの通信ネットワークＮに接続した辞書情報集計サーバ１０を備え、辞書ユーザが携帯端末（ＰＤＡ：ｐｅｒｓｏｎａｌ　ｄｉｇｉｔａｌ　ａｓｓｉｓｔａｎｔｓ）として使用する携帯機器Ａ（ＰＣリンク電子辞書）２０や携帯機器Ｂ（無線電子辞書）３０と接続可能に構成される。
【００２５】
携帯機器Ａ（ＰＣリンク電子辞書）２０は、データシンクロなどの必要に応じて当該携帯機器Ａ２０のユーザ自宅ＰＣ（ｐｅｒｓｏｎａｌ　ｃｏｍｐｕｔｅｒ）として利用される通信機器（ＰＣ）４０との接続に伴い通信ネットワークＮ（インターネットなど）を介して前記辞書情報集計サーバ１０と接続され、携帯機器Ｂ（無線電子辞書）３０は、ネット情報検索などの必要に応じて当該携帯機器Ｂ３０自身の有する無線通信接続機能により通信ネットワークＮを介して前記辞書情報集計サーバ１０と接続される。
【００２６】
携帯機器Ａ（ＰＣリンク電子辞書）２０および携帯機器Ｂ（無線電子辞書）３０には、英和，和英，国語など、各機器の仕様に応じた各種の辞書データが記憶内蔵されており、電子辞書として機能する。
【００２７】
これ以降、携帯機器Ａ２０をＰＣリンク電子辞書２０、携帯機器Ｂを無線電子辞書３０、通信機器（ＰＣ）４０を自宅ＰＣ４０と称する。
【００２８】
辞書情報集計サーバ１０は、各種の記録媒体に記録されたプログラム、又は、伝送されたプログラムを読み込んで、その読み込んだプログラムによって動作が制御されるコンピュータによって構成され、その電子回路には、ＣＰＵ（ｃｅｎｔｒａｌ
ｐｒｏｃｅｓｓｉｎｇ　ｕｎｉｔ）１１が備えられる。
【００２９】
ＣＰＵ１１は、メモリ１２内に予め記憶されたサーバ制御プログラム、あるいはＣＤ−ＲＯＭなどの外部記録媒体１３から記録媒体読取部１４を介して前記メモリ１２に読み込まれたサーバ制御プログラム、あるいは通信ネットワーク（インターネット）Ｎ上のＷｅｂサーバ（この場合はプログラムサーバ）から電送制御部１５を介して前記メモリ１２に読み込まれたサーバ制御プログラムに応じて、回路各部の動作を制御する。
【００３０】
前記メモリ１２に記憶されたサーバ制御プログラムは、電送制御部１５を介して接続される通信ネットワーク（インターネット）Ｎ上のＰＣリンク電子辞書２０（自宅ＰＣ４０経由）や無線電子辞書３０との通信信号、あるいはその他の各Ｗｅｂサーバとの通信信号、キーやマウス，タッチパネルなどからなる入力部１６からのオペレータ操作に応じた入力信号に応じて起動される。
【００３１】
前記ＣＰＵ１１には、前記メモリ１２、記録媒体読取部１４、電送制御部１５、入力部１６が接続される他に、表示部１７などが接続される。
【００３２】
メモリ１２には、当該辞書情報集計サーバ１０の全体の動作を司るシステムプログラムや電送制御部１５を介して通信ネットワーク（インターネット）Ｎ上の各電子辞書２０（４０），３０やＷｅｂサーバとデータ通信するための通信プログラムが記憶される他に、各電子辞書２０，３０との接続通信に伴い取得される当該各電子辞書２０，３０での辞書検索履歴情報の収集・集計処理などを行うための情報収集・集計処理プログラム１２ａなどが記憶される。
【００３３】
また、このメモリ１２には、ユーザ端末である各電子辞書２０…，３０…毎にその辞書検索履歴情報を取得蓄積するための個別辞書端末データメモリ部１２Ａ…が備えられ、この個別辞書端末データメモリ部１２Ａには、各対応するユーザ電子辞書の認証ＩＤ及び銀行口座番号が記憶されるユーザＩＤメモリ１２ｂ、当該ユーザ所有の電子辞書２０（３０）から受信取得された第１検索情報である未収録語のスペルが記憶される検索情報▲１▼メモリ１２ｃ、第２検索情報である検索実施語のスペルが記憶される検索情報▲２▼メモリ１２ｄ、第３検索情報である各検索実施語の検索回数が記憶される検索情報▲３▼メモリ１２ｅ、ユーザ登録された当該ユーザの職業・年齢などが記憶される個人情報メモリ１２ｆなどが用意される。
【００３４】
また、メモリ１２には、各ユーザ電子辞書毎の個別辞書端末データメモリ部１２Ａ…に収集記憶された辞書検索情報▲１▼▲２▼▲３▼及びその個人情報に基づき、各種のユーザ層に応じた辞書検索の傾向データなどを集計処理するためのワークエリアとして機能する集計エリア１２ｇなどが用意される。
【００３５】
図２は前記辞書情報集計システムにおける携帯機器Ａ（ＰＣリンク電子辞書）２０の電子回路の構成を示すブロック図である。
【００３６】
この携帯機器Ａ（ＰＣリンク電子辞書）２０は、各種の記録媒体に記録されたプログラム、又は、伝送されたプログラムを読み込んで、その読み込んだプログラムによって動作が制御されるコンピュータによって構成され、その電子回路には、ＣＰＵ（ｃｅｎｔｒａｌ　ｐｒｏｃｅｓｓｉｎｇ　ｕｎｉｔ）２１が備えられる。
【００３７】
ＣＰＵ２１は、メモリ２２内に予め記憶された携帯機器プログラム、あるいはＲＯＭカードなどの外部記録媒体２３から記録媒体読取部２４を介して前記メモリ２２に読み込まれた携帯機器制御プログラム、あるいは通信ネットワーク（インターネット）Ｎ上のＷｅｂサーバ（この場合はプログラムサーバ）から自宅ＰＣ４０および通信部２５を介して前記メモリ２２に読み込まれた携帯機器制御プログラムに応じて、回路各部の動作を制御する。
【００３８】
なお、このＰＣリンク電子辞書２０の通信部２５は、Ｂｌｕｅｔｏｏｔｈを用いた近距離無線通信接続やＲＳ２３２Ｃ接続によって構成される。
【００３９】
前記メモリ２２に記憶された携帯機器制御プログラムは、キーやタッチパネルなどからなる入力部２６からのユーザ操作に応じた入力信号、通信部２５から自宅ＰＣ４０を介して接続される通信ネットワーク（インターネット）Ｎ上の辞書情報集計サーバ１０との通信信号、あるいはその他の各Ｗｅｂサーバとの通信信号に応じて起動される。
【００４０】
前記ＣＰＵ２１には、前記メモリ２２、記録媒体読取部２４、通信部２５、入力部２６が接続される他に、表示部２７などが接続される。
【００４１】
メモリ２２には、当該ＰＣリンク電子辞書２０の全体の動作を司るシステムプログラムや通信部２５を介して通信機器（自宅ＰＣ）４０そして該通信機器（自宅ＰＣ）４０を経由して通信ネットワーク（インターネット）Ｎ上の辞書情報集計サーバ１０とデータ通信するための通信プログラムが記憶される他に、個人情報登録処理、内蔵辞書に対する辞書検索処理、辞書検索履歴情報の取得処理を行うための辞書端末処理プログラム２２ａなどが記憶される。
【００４２】
また、このメモリ２２には、本電子辞書２０に内蔵された辞書それぞれのコンテンツデータが記憶された内蔵辞書データメモリ２２ｘ、本電子辞書２０の認証ＩＤ及びユーザの銀行口座番号が記憶されるユーザＩＤメモリ２２ｂ、本電子辞書２０における第１検索情報である未収録語のスペルが記憶される検索情報▲１▼メモリ２２ｃ、第２検索情報である検索実施語のスペルが記憶される検索情報▲２▼メモリ２２ｄ、第３検索情報である各検索実施語の検索回数が記憶される検索情報▲３▼メモリ２２ｅ、当該ユーザの職業・年齢などが記憶登録される個人情報メモリ２２ｆなどが用意される。
【００４３】
なお、携帯機器Ｂ（無線電子辞書）３０の電子回路の構成は、前記携帯機器Ａ（ＰＣリンク電子辞書）２０と略同様であるため図示を省略するが、この無線電子辞書３０は、ＰＨＳ（ｐｅｒｓｏｎａｌ　ｈａｎｄｙ　ｐｈｏｎｅ　ｓｙｓｔｅｍ）などを使用した無線通信部によって通信ネットワーク（インターネット）Ｎ上の各Ｗｅｂサーバ（１０）と通信接続可能に構成される。
【００４４】
そして、この無線電子辞書３０も、その全体の動作を司るシステム機能や無線通信部を介して通信ネットワーク（インターネット）Ｎ上の辞書情報集計サーバ１０とデータ通信するための通信機能、個人情報登録機能、内蔵辞書に対する辞書検索機能、辞書検索履歴情報の取得機能など、前記ＰＣリンク電子辞書２０と同様の機能が備えられる。
【００４５】
一方、通信機器（自宅ＰＣ）４０は、ＰＣリンク電子辞書２０との間で接続通信を図る通信部と、通信ネットワーク（インターネット）Ｎ上の辞書情報集計サーバ１０や他のＷｅｂサーバとの間で接続通信を図る電送制御部とを備え、ＰＣリンク電子辞書２０とネットサーバ（１０）とを接続する中継器として機能する。
【００４６】
図３は前記辞書情報集計システムによる辞書情報集計機能の概要を示す図である。
【００４７】
図３（Ａ）に示すように、ＰＣリンク電子辞書２０において検索文字を入力して辞書検索操作を行うと、当該辞書検索操作の都度、入力された検索語のスペル（検索文字）が、当該辞書（２０）の未収録語または検索実施語の何れかに分類され、辞書検索履歴情報として記憶蓄積される。
【００４８】
そして、図３（Ｂ）に示すように、ＰＣリンク電子辞書２０を自宅ＰＣ４０に接続すると、電子辞書２０に記憶蓄積された辞書検索履歴情報がユーザ個人情報（職業・年齢）と共に自宅ＰＣ４０へ転送される。
【００４９】
すると、図３（Ｃ）に示すように、自宅ＰＣ４０から通信ネットワークＮ上の辞書情報集計サーバ１０へ接続され、前記ＰＣリンク電子辞書２０から転送受信された当該辞書２０における辞書検索履歴情報が辞書情報集計サーバ１０へ送信転送される。
【００５０】
これにより、図３（Ｄ）に示すように、辞書情報集計サーバ１０において、前記各ユーザ毎の電子辞書２０（３０）から受信転送されたユーザ個々の辞書検索履歴情報が集計され、辞書の編集出版社などに提供されて有効利用される。
【００５１】
ここでは、ユーザ辞書端末がＰＣリンク電子辞書２０である場合について説明したが、無線電子辞書３０についても同様である。
【００５２】
次に、前記構成の辞書情報集計システムによる辞書情報集計機能について説明する。
【００５３】
図４は前記辞書情報集計システムの電子辞書２０（３０）による個人情報登録処理を示すフローチャートである。
【００５４】
電子辞書２０（３０）において、個人情報登録処理が起動されると、個人情報のユーザ入力を促すガイダンス表示が行われる。そして、この個人情報入力用のガイダンス表示に従って、入力部１６の操作により当該電子辞書ユーザの職業及び年齢（学年）が入力されると（ステップＰ１，Ｐ２）、このユーザ入力された職業及び年齢（学年）のデータは、メモリ２２内の個人情報メモリ２２ｆに記憶されて登録される（ステップＰ３）。
【００５５】
図５は前記辞書情報集計システムの電子辞書２０（３０）による辞書端末処理を示すフローチャートである。
【００５６】
電子辞書２０（３０）において、辞書検索を行うために入力部２６の操作により検索対象語を入力すると（ステップＳ１）、当該入力された検索対象語がメモリ２２内の内蔵辞書データメモリ２２ｘに予め記憶されている辞書内の見出し語として収録されているか否か判断される（ステップＳ２）。
【００５７】
ここで、ユーザ入力された検索対象語と一致する見出し語が内蔵辞書から検索されることで、本体内に収録有りと判断された場合には、当該検索された見出し語に対応付けられて記憶されている意味内容が読み出されて表示部２７に表示されると共に、当該検索対象語（見出し語）が過去に検索されたか否かが検索情報▲２▼メモリ２２ｄ内の検索実施語として既に記憶されているか否かにより判断される（ステップＳ３）。
【００５８】
そして、本体内辞書の見出し語として収録されている検索対象語が検索情報▲２▼メモリ２２ｄ内の検索実施語として既に記憶されていると判断された場合には、当該検索実施語に対応付けられて検索情報▲３▼メモリ２２ｅに記憶された検索実施回数が＋１されて加算される。また、この検索された日付情報を記憶する（ステップＳ３→Ｓ４）。
【００５９】
また、本体内辞書の見出し語として収録されている検索対象語が検索情報▲２▼メモリ２２ｄ内の検索実施語として記憶されてなく、過去に検索されてないと判断された場合には、当該検索対象語は検索実施語のスペルとして現在の日付と共にメモリ２２内の検索情報▲２▼２２ｄに記憶され、この検索実施語に対応付けられて検索実施回数１が検索情報▲３▼メモリ２２ｅに記憶される（ステップＳ３→Ｓ５）。
【００６０】
一方、前記ユーザ入力された検索対象語と一致する見出し語が内蔵辞書から検索されず、本体内に収録無しと判断された場合には、“収録無し”のメッセージが表示部２７に表示されると共に、当該検索対象語が未収録語のスペルとして現在の日付と共に検索情報▲１▼メモリ２２ｃに記憶される（ステップＳ２→Ｓ６）。
【００６１】
これにより、ＰＣリンク電子辞書２０や無線電子辞書３０では、辞書検索操作の都度その辞書検索の履歴情報が、検索実施語スペル（２２ｄ）またはその検索回数（２２ｅ）または未収録語スペル（２２ｃ）としてメモリ２２内に記憶蓄積される。
【００６２】
図６は前記辞書情報集計システムにおける情報送信処理を示すフローチャートである。
【００６３】
前述の図５における辞書端末処理において説明したように、電子辞書２０（３０）にて辞書検索の履歴情報が記憶蓄積された状態で（図３（Ａ）参照）、ＰＣリンク電子辞書２０が自宅ＰＣ４０と接続され（ステップＡ１）、当該自宅ＰＣ４０が通信ネットワーク（インターネット）Ｎに接続されたと判断された場合には（ステップＡ２）、メモリ２２内の検索情報▲１▼メモリ２２ｃに記憶蓄積されている日付つきの各未収録語データ及び検索情報▲２▼メモリ２２ｄに記憶蓄積されている日付つきの各検索実施語データ及び検索情報▲３▼メモリ２２ｅに記憶蓄積されている前記検索実施語それぞれの検索回数が読み出され、個人情報メモリ２２ｆに記憶登録されているユーザの職業・年齢（学年）と共に通信部２５を介して自宅ＰＣ４０へ送信される（ステップＡ３）（図３（Ｂ）参照）。
【００６４】
そして、前記自宅ＰＣ４０を経由して通信ネットワークＮ上にある辞書情報集計サーバ１０と接続されると（ステップＡ４）、前記ＰＣリンク電子辞書２０から自宅ＰＣ４０へ送信転送された各種の辞書検索履歴情報及び個人情報のデータが辞書情報集計サーバ１０へも送信転送される（ステップＡ５）（図３（Ｃ）参照）。
【００６５】
図７は前記辞書情報集計システムの辞書情報集計サーバ１０におけるサーバ側集計処理を示すフローチャートである。
【００６６】
辞書情報集計サーバ１０では、前記ＰＣリンク電子辞書２０から転送受信された辞書検索履歴情報及び個人情報のデータが当該電子辞書２０に対応する個別辞書端末データメモリ部１２Ａに記憶されるもので、日付つきの各未収録語データは検索情報▲１▼メモリ１２ｃに記憶され、日付つきの各検索実施語データは検索情報▲２▼メモリ１２ｄに記憶され、前記検索実施語それぞれの検索回数は検索情報▲３▼メモリ１２ｅに記憶され、ユーザの職業・年齢（学年）は個人情報メモリ１２ｆに記憶される（ステップＢ１〜Ｂ３）。
【００６７】
これにより、各ユーザ電子辞書２０（３０）…におけるそれぞれの辞書検索履歴情報が各ユーザ個人情報と共に別々の個別辞書端末データメモリ部１２Ａ…に収集される。
【００６８】
図８は前記辞書情報集計システムの辞書情報集計サーバ１０におけるサーバ側集計結果表示処理を示すフローチャートである。
【００６９】
図９は前記辞書情報集計サーバ１０のサーバ側集計結果表示処理に伴う表示動作を示す図であり、同図（Ａ）は集計内容選択画面Ｇ１を示す図、同図（Ｂ）は全ユーザ対象の検索単語人数集計一覧画面Ｇ２を示す図である。
【００７０】
図１０は前記辞書情報集計サーバ１０のサーバ側集計結果表示処理に伴う全中学生対象の未収録語年度別人数集計一覧画面Ｇ３を示す図である。
【００７１】
入力部１６の操作により、サーバ側集計結果表示処理が選択起動されると（ステップＣ１）、図９（Ａ）に示すように、集計内容選択画面Ｇ１が表示部１７に表示される。
【００７２】
この集計内容選択画面Ｇ１では、「検索内容」の指定操作に伴い集計すべき辞書内容とその集計形態を選択するための検索内容選択ウインドウＷ１が表示され、また「対象」の指定操作に伴い集計対象ユーザを選択するための対象選択ウインドウＷ２が表示される（ステップＣ２→Ｃ３）。
【００７３】
前記集計内容選択画面Ｇ１での検索内容選択ウインドウＷ１にあって、例えば「ＡＬＬ単語・人数」が選択設定されると共に（ステップＣ４）、対象選択ウインドウＷ２にあって、例えば「ＡＬＬユーザ」が選択設定されると（ステップＣ５）、設定された検索内容「ＡＬＬ単語・人数」と対象「ＡＬＬユーザ」に従って、メモリ１２内の全てのユーザ辞書に対応する個別辞書端末データメモリ部１２Ａ…から検索実施語及び未収録語の全てが読み出され、図９（Ｂ）に示すように、検索対象語として入力された各単語がその入力人数が多い順に集計されて集計エリア１２ｇに書き込まれ、全ユーザ対象の検索単語人数集計一覧画面Ｇ２として表示部１７に表示される（ステップＣ６）。
【００７４】
また、前記集計内容選択画面Ｇ１での検索内容選択ウインドウＷ１にあって、例えば「未収録語・人数（年度別）」が選択設定されると共に（ステップＣ７）、対象選択ウインドウＷ２にあって、例えば「中学ＡＬＬ（和英辞書）」が選択設定されると（ステップＣ８）、設定された検索内容「未収録語・人数（年度別）」と対象「中学ＡＬＬ（和英辞書）」に従って、メモリ１２内の個人情報（１２ｆ）として中学生で記憶されている各ユーザ辞書に対応する個別辞書端末データメモリ部１２Ａ…から、所定の期間（例えば１９９７年−２００１年）に対応する日付が付加された和英検索未収録語のうちの検索入力人数が一定数を越える（または上位ｎ個）未収録語が読み出され（ステップＣ９）、図１０に示すように、検索対象語として一定人数以上入力された和英辞書未収録語が年度別に集計されて集計エリア１２ｇに書き込まれ、全中学生対象の未収録語年度別人数集計一覧画面Ｇ３として表示部１７に表示される（ステップＣ１０）。
【００７５】
したがって、前記構成の辞書情報集計システムによれば、辞書情報集計サーバ１０において、通信ネットワークＮを介して収集されたＰＣリンク電子辞書２０や無線電子辞書３０などの多数のユーザ辞書端末における日付つきの検索履歴情報とその個人情報を任意の形態で集計して表示させることで、例えばこの集計表示データを参考に辞書内容の市場ニーズを分析することができ、辞書の出版社や編集者において、改訂版の編集発行などにあたり如何なる新語を収録すべきかの非常に有用な判断材料として利用することができる。
【００７６】
なお、前記実施形態において記載した辞書情報集計システムにおける辞書情報集計サーバ１０や各電子辞書２０（３０）による各処理の手法、すなわち、図４のフローチャートに示す電子辞書２０（３０）による個人情報登録処理、図５のフローチャートに示す電子辞書２０（３０）による辞書端末処理、図６のフローチャートに示す辞書情報集計システムにおける情報送信処理、図７のフローチャートに示す辞書情報集計サーバ１０におけるサーバ側集計処理、図８のフローチャートに示す辞書情報集計サーバ１０におけるサーバ側集計結果表示処理などの各手法は、何れもコンピュータに実行させることができるプログラムとして、メモリカード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記録媒体１３，２３に格納して配布することができる。そして、通信ネットワーク（インターネット）Ｎとの通信機能を備えた種々のコンピュータ端末は、この外部記録媒体１３，２３に記憶されたプログラムを記録媒体読取部１４，２４によってメモリ１２，２２に読み込み、この読み込んだプログラムによって動作が制御されることにより、前記実施形態において説明した辞書情報集計機能を実現し、前述した手法による同様の処理を実行することができる。
【００７７】
また、前記各手法を実現するためのプログラムのデータは、プログラムコードの形態として通信ネットワーク（インターネット）Ｎ上を伝送させることができ、この通信ネットワーク（インターネット）Ｎに接続されたコンピュータ端末から前記のプログラムデータを取り込み、前述した辞書情報集計機能を実現することもできる。
【００７８】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【００７９】
【発明の効果】
以上のように、本発明の請求項１に係る辞書情報集計装置によれば、端末から辞書の未収録語に対する検索情報とその検索日付情報とが対応付けられて検索情報取得手段により取得され、これにより取得された未収録語の検索情報がその検索日付情報と共に検索情報記憶手段により記憶される。そして、この検索情報記憶手段により記憶された未収録語の検索情報は期間別検索情報表示手段によりその検索日付情報に対応付けられて期間毎に集計されて表示されるので、各辞書端末における未収録語の検索数（人数）などを、例えばこれまでの月別や年度別などの期間毎に集計し表示させて容易に未収録語の検索ニーズなどを知ることができる。
【００８０】
また、本発明の請求項２に係る辞書情報集計装置によれば、検索情報取得手段により、端末から当該端末の個人情報に対応付けて辞書の未収録語に対する検索情報がその検索日付と共に取得され、この取得された未収録語の検索情報がその検索日付情報及び端末個人情報と共に検索情報記憶手段により記憶される。そして、この記憶された未収録語の検索情報が、個人情報別検索情報表示手段によりその個人情報別に検索日付情報に対応付けられて集計され表示されるので、各辞書端末における未収録語の検索数（人数）などを、個人情報別に集計し表示させて容易に未収録語の個人検索ニーズなどを知ることができる。
【００８１】
また、本発明の請求項３に係る辞書情報集計装置によれば、期間別検索情報表示手段および個人情報別検索情報表示手段による検索情報の集計表示が、その集計数が所定数以上となる未収録語について行われるので、ある一定数以上の有効な未収録語の検索情報がある場合のみ当該検索情報を集計表示できる。
【００８２】
また、本発明の請求項４に係る辞書情報集計装置によれば、端末から辞書の収録語に対する検索情報がその検索日付情報と対応付けられて収録語検索情報取得手段により取得され、これにより取得された収録語の検索情報がその検索日付情報と共に収録語検索情報記憶手段により記憶される。そして、この収録語検索情報記憶手段により記憶された収録語の検索情報は期間別収録語検索情報表示手段によりその検索日付情報に対応付けられて期間毎に集計されて表示されるので、各辞書端末における収録語の検索数（人数）などを、例えばこれまでの月別や年度別などの期間毎に集計し表示させて容易に収録語の検索頻度などを知ることができる。
【００８３】
また、本発明の請求項５に係る辞書情報集計処理プログラムを辞書情報集計装置のコンピュータにインストールすれば、端末から辞書の未収録語に対する検索情報とその検索日付情報とが対応付けられて検索情報取得手段により取得され、これにより取得された未収録語の検索情報がその検索日付情報と共に検索情報記憶手段により記憶される。そして、この検索情報記憶手段により記憶された未収録語の検索情報は期間別検索情報表示手段によりその検索日付情報に対応付けられて期間毎に集計されて表示されるので、各辞書端末における未収録語の検索数（人数）などを、例えばこれまでの月別や年度別などの期間毎に集計し表示させて容易に未収録語の検索ニーズなどを知ることができる。
【００８４】
よって、本発明によれば、辞書の編集部や編集者自らが必要辞書内容の調査を行う必要なく、辞書の編集・作成に掛かる労力を大幅に削減することが可能になる。
【図面の簡単な説明】
【図１】本発明の実施形態に係る辞書情報集計システムの全体構成およびその辞書情報集計サーバ１０の電子回路の構成を示すブロック図。
【図２】前記辞書情報集計システムにおける携帯機器Ａ（ＰＣリンク電子辞書）２０の電子回路の構成を示すブロック図。
【図３】前記辞書情報集計システムによる辞書情報集計機能の概要を示す図。
【図４】前記辞書情報集計システムの電子辞書２０（３０）による個人情報登録処理を示すフローチャート。
【図５】前記辞書情報集計システムの電子辞書２０（３０）による辞書端末処理を示すフローチャート。
【図６】前記辞書情報集計システムにおける情報送信処理を示すフローチャート。
【図７】前記辞書情報集計システムの辞書情報集計サーバ１０におけるサーバ側集計処理を示すフローチャート。
【図８】前記辞書情報集計システムの辞書情報集計サーバ１０におけるサーバ側集計結果表示処理を示すフローチャート。
【図９】前記辞書情報集計サーバ１０のサーバ側集計結果表示処理に伴う表示動作を示す図であり、同図（Ａ）は集計内容選択画面Ｇ１を示す図、同図（Ｂ）は全ユーザ対象の検索単語人数集計一覧画面Ｇ２を示す図。
【図１０】前記辞書情報集計サーバ１０のサーバ側集計結果表示処理に伴う全中学生対象の未収録語年度別人数集計一覧画面Ｇ３を示す図。
【符号の説明】
１０　…辞書情報集計サーバ
２０　…携帯機器Ａ（ＰＣリンク電子辞書）
３０　…携帯機器Ｂ（無線電子辞書）
４０　…通信機器（自宅ＰＣ）
１１、２１…ＣＰＵ
１２、２２…メモリ
１２Ａ…個別辞書端末データメモリ部
１２ａ…情報収集・集計処理プログラム
１２ｂ…ユーザＩＤメモリ
１２ｃ…検索情報▲１▼（未収録語）メモリ
１２ｄ…検索情報▲２▼（検索実施語）メモリ
１２ｅ…検索情報▲３▼（検索実施語検索回数）メモリ
１２ｆ…個人情報メモリ
１２ｇ…集計エリア
２２ａ…辞書端末処理プログラム
２２ｘ…内蔵辞書データ
２２ｂ…ユーザＩＤメモリ
２２ｃ…検索情報▲１▼（未収録語）メモリ
２２ｄ…検索情報▲２▼（検索実施語）メモリ
２２ｅ…検索情報▲３▼（検索実施語検索回数）メモリ
２２ｆ…個人情報メモリ
１３、２３…外部記録媒体
１４、２４…記録媒体読取部
１５…電送制御部
２５…通信部
１６、２６…入力部
１７、２７…表示部
【図１】
2004062228.tif 000003
【図２】
2004062228.tif 000004
【図３】
2004062228.tif 000005
【図４】
2004062228.tif 000006
【図５】
2004062228.tif 000007
【図６】
2004062228.tif 000008
【図７】
2004062228.tif 000009
【図８】
2004062228.tif 000010
【図９】
2004062228.tif 000011
【図１０】
2004062228.tif 000012